(57)【要約】【課題】遊技演出装置などの自重による遊技盤の撓みや傾きの発生を防止するとともに、組立作業を簡易化し、また、裏機構枠側の変更を必要とせず、実施化を有効に図り得る遊技機を提供する。【解決手段】遊技機本体は、遊技盤５と、遊技盤の裏面側に配置した裏機構枠７とを有しており、遊技盤に所定の遊技演出を行う遊技演出装置１４，１５が設けられる。そして、上記遊技盤の裏面にユニットベース４０を固定し、このユニットベースを介在して上記遊技演出装置を、遊技盤に設けた開口部３５を通して遊技盤の表面側に臨むように取り付ける。上記ユニットベースに、上記遊技演出装置の外に、少なくとも遊技演出装置を制御する制御基板用の収納ケース５１を取り付ける。また、上記裏機構枠を、ユニットベースの周囲を囲繞するように形成する。【選択図】図４
2009034150.tif 000002
【特許請求の範囲】
【請求項１】
島側に固定する外枠に対し遊技機本体が開閉可能に取り付けられ、この遊技機本体は、遊技盤と、遊技盤の裏面側に配置した裏機構枠とを有しており、遊技盤に所定の遊技演出を行う遊技演出装置が設けられた遊技機において、
上記遊技盤の裏面にはユニットベースが固定され、このユニットベースを介在して上記遊技演出装置が遊技盤に設けた開口部を通して遊技盤の表面側に臨むように取り付けられており、上記ユニットベースには、上記遊技演出装置の外に、少なくとも遊技演出装置を制御する制御基板用の収納ケースが取り付けられており、上記裏機構枠は、ユニットベースの周囲を囲繞するように形成されていることを特徴とする遊技機。
【請求項２】
上記遊技演出装置は、遊技盤に複数設けられており、これらの遊技演出装置は、いずれも上記ユニットベースを介在して遊技盤の裏面に取り付けられている請求項１記載の遊技機。
【請求項３】
上記遊技演出装置は、外周面に各々複数種類の図柄を描いた複数の回転ドラムがそれぞれモータにより回転駆動されるように構成されてなるドラムユニットと、このドラムユニットを収納しかつ外周面の少なくとも一部にリング状のガイド面が形成されたハウジングと、このハウジングのガイド面にそれぞれ接触しハウジングを遊技盤と略直交する軸回りに回転可能に支持する複数の支持ローラと、上記ハウジングを軸回りに回転させるアクチュエータとを備えており、上記各支持ローラは、上記ユニットベースに取り付けられている請求項１又は２記載の遊技機。
【請求項４】
上記ユニットベースには、遊技演出装置の取付箇所の側方近傍に沿って上下方向に延びる挿入溝が形成され、この挿入溝に対し、上記収納ケースの１つの長辺を挿入して収納ケースが縦置きに立てた状態に取り付けられている請求項１ないし請求項３のいずれか一つに記載の遊技機。
【請求項５】
上記収納ケースには、収納ケースの１つの長辺をユニットベースの挿入溝に挿入して収納ケースが縦置きに立てた状態に配置されたとき遊技演出装置の取付箇所と反対側の側方に突出する突起部が形成されているとともに、上記ユニットベースには、収納ケースが縦置きに立てた状態に配置されたとき上記突起部と係合するフック片が形成されている請求項４記載の遊技機。
【発明の詳細な説明】
【技術分野】
【０００１】
本発明は、パチンコ機などの遊技機に関し、特に、遊技盤に大型のセンター役物や図柄表示装置などの遊技演出装置を設ける場合の構造に係わる。
【背景技術】
【０００２】
従来、パチンコ機においては、島側に固定する外枠に対し遊技機本体が開閉可能に取り付けられ、この遊技機本体は、遊技盤を前後２つの機構枠によって保持してなる内枠と、この内枠の前側に開閉可能に装着されかつ遊技盤を透視可能にする透視窓を有する前枠とを備えてなる。内枠の遊技盤には、入賞口及び障害釘と共に、センター役物や図柄表示装置などの遊技演出装置が設けられている一方、内枠の遊技盤後側の機構枠（裏機構枠ともいう）には球タンク、球切り装置及び主制御基板を収納する基板収容ケースなどが設けられている。
【０００３】
ところで、近年、パチンコ機においては、遊技演出ないし遊技の興趣を高めるために、遊技盤に設ける遊技演出装置が大型化する傾向にある。例えば、遊技盤に設ける液晶表示装置としては、１５インチサイズを超えるものが使用されて来ている。また、特許文献１には、遊技盤に設ける遊技演出装置として、外周面に各々複数種類の図柄を描いた複数の回転ドラムがそれぞれモータにより回転駆動されるように構成されたドラムユニットと、このドラムユニットを遊技盤と交差する軸回りに回転させるユニット回転手段とを備えてなるものが開示されている。
【特許文献１】特開２００５−１６０７３１号公報
【発明の開示】
【発明が解決しようとする課題】
【０００４】
しかしながら、遊技盤に大型の遊技演出装置を設けるに当たり、単に遊技盤の裏面に遊技演出装置をねじ止めなどにより固定した場合、遊技盤に掛かる遊技演出装置の自重によって遊技盤に撓みが生じたり、遊技盤が傾いたりする虞がある。
【０００５】
そこで、この問題に対処するために、遊技盤の裏面側に配置される裏機構枠に、遊技演出装置を支持するための支持部などを設けることが考えられる。しかし、この場合、裏機構枠に既設の球切り装置や基板収納ケースなどの設置位置などを変更する必要がある上、遊技演出装置を遊技盤と裏機構枠とに跨って取り付けなければならず、組立作業が面倒なものになるという欠点もある。
【０００６】
本発明はかかる諸点に鑑みてなされたものであり、その課題とするところは、遊技盤に大型の遊技演出装置を設ける当たり、遊技盤を補強しつつその裏面に遊技演出装置及びそれを制御する制御基板用の収納ケースを取り付けることにより、遊技演出装置などの自重による遊技盤の撓みや傾きの発生を防止するとともに、組立作業を簡易化し、また、裏機構枠側の変更を必要とせず、実施化を有効に図り得る遊技機を提供せんとするものである。
【課題を解決するための手段】
【０００７】
上記の課題を解決するため、請求項１に係る発明は、遊技機として、島側に固定する外枠に対し遊技機本体が開閉可能に取り付けられ、この遊技機本体は、遊技盤と、遊技盤の裏面側に配置した裏機構枠とを有しており、遊技盤に所定の遊技演出を行う遊技演出装置が設けられたことを前提とする。そして、上記遊技盤の裏面にユニットベースを固定し、このユニットベースを介在して上記遊技演出装置を、遊技盤に設けた開口部を通して遊技盤の表面側に臨むように取り付け、上記ユニットベースに、上記遊技演出装置の外に、少なくとも遊技演出装置を制御する制御基板用の収納ケースを取り付ける。また、上記裏機構枠を、ユニットベースの周囲を囲繞するように形成する構成にする。
【０００８】
この構成では、遊技盤に遊技演出装置を設けるに当たり、遊技盤の裏面に固定したユニットベースが両者間に介在され、このユニットベースによって遊技盤が補強されているため、遊技演出装置などの自重によって遊技盤に撓みが生じたり、遊技盤が傾いたりすることはない。また、組立作業時には、遊技盤及びその裏面側のユニットベースを中心に、遊技演出装置及びその制御基板用の収納ケースなどを取り付けてユニット化した上で、裏機構枠などに組み付けることができる。しかも、裏機構枠は、ユニットベースの周囲を囲繞するだけで足り、その形状を大幅に変更したり、球切り装置や基板収納ケースなどの設置位置を変更したりする必要はない。
【０００９】
請求項２に係る発明は、請求項１記載の遊技機において、上記遊技演出装置を、遊技盤に複数設け、これらの遊技演出装置を、いずれも上記ユニットベースを介在して遊技盤の裏面に取り付ける構成にする。この構成では、複数の遊技演出装置がいずれも１つのユニットベースを介在して遊技盤の裏面に取り付けられているため、遊技盤及びユニットベースを中心にした装置や部品類のユニット化がその分図られることになり、組立作業の簡易化を一層図ることができる。
【００１０】
請求項３に係る発明は、請求項１又は２記載の遊技機において、上記遊技演出装置の一つの具体的な形態を提供するものである。すなわち、上記遊技演出装置を、外周面に各々複数種類の図柄を描いた複数の回転ドラムがそれぞれモータにより回転駆動されるように構成されてなるドラムユニットと、このドラムユニットを収納しかつ外周面の少なくとも一部にリング状のガイド面が形成されたハウジングと、このハウジングのガイド面にそれぞれ接触しハウジングを遊技盤と略直交する軸回りに回転可能に支持する複数の支持ローラと、上記ハウジングを軸回りに回転させるアクチュエータとを備える構成にし、また、上記各支持ローラを、上記ユニットベースに取り付ける構成にする。この構成では、遊技演出装置のドラムユニットにおいて、外周面に各々複数種類の図柄を描いた複数の回転ドラムがそれぞれモータにより回転するだけでなく、ドラムユニットを収納するハウジングが、ユニットベースにそれぞれ取り付けた複数の支持ローラに支持された状態でアクチュエータにより遊技盤と略直交する軸回りに回転するため、遊技者に意外性を与えることができ、演出効果を高めることができる。
【００１１】
請求項４に係る発明は、請求項１ないし請求項３のいずれか一つに記載の遊技機において、上記ユニットベースに、遊技演出装置の取付箇所の側方近傍に沿って上下方向に延びる挿入溝を形成し、この挿入溝に対し、上記収納ケースの１つの長辺を挿入して収納ケースを縦置きに立てた状態に取り付ける構成にする。この構成では、ユニットベースの挿入溝に制御基板用収納ケースの１つの長辺を挿入して収納ケースが縦置きに立てた状態に取り付けられているため、ユニットベースにおける収納ケースの取付スペースが小さくて済むことになる。
【００１２】
請求項５に係る発明は、請求項４記載の遊技機において、上記収納ケースに、収納ケースの１つの長辺をユニットベースの挿入溝に挿入して収納ケースが縦置きに立てた状態に配置されたとき遊技演出装置の取付箇所と反対側の側方に突出する突起部を形成するとともに、上記ユニットベースに、収納ケースが縦置きに立てた状態に配置されたとき上記突起部と係合するフック片を形成する構成にする。この構成では、ユニットベースの挿入溝に対する収納ケースの挿入に加えて、収納ケース側の突起部とユニットベース側のフック片との係合によって収納ケースの取付を確実に行うことができるとともに、その取付をワンタッチ操作でもって容易に行うことができる。
【発明の効果】
【００１３】
以上のように、本発明の遊技機によれば、遊技盤の裏面に固定したユニットベースによって遊技盤が補強されているため、遊技演出装置などの自重によって遊技盤に撓みが生じたり、遊技盤が傾いたりするのを防止することができる上、組立作業時には、遊技盤及びユニットベースを中心に、遊技演出装置及びその制御基板用の収納ケースなどを取り付けてユニット化した上で、裏機構枠などに組み付けることができ、作業の簡易化及び効率化を図ることができる。しかも、裏機構枠は、ユニットベースの周囲を囲繞するだけで足り、その形状を大幅に変更したり、球切り装置や基板収納ケースなどの設置位置を変更したりする必要はないので、実施化を容易に図ることができる。
【００１４】
特に、請求項２に係る発明の如く遊技盤に複数の遊技演出装置を設ける場合、あるいは請求項３に係る発明の如く大型の遊技演出装置を遊技盤に設ける場合にユニット化の効果が大きく、組立作業の簡易化を一層図ることができる。
【００１５】
また、請求項４に係る発明では、ユニットベースの挿入溝に制御基板用収納ケースの１つの長辺を挿入して収納ケースが縦置きに立てた状態に取り付けられているため、ユニットベースにおける収納ケースの取付スペースを小さくすることができ、その分他の部品の取付スペースの確保あるいはユニットベースの小型化を図ることができる。
【００１６】
さらに、請求項５に係る発明では、ユニットベースの挿入溝に対する収納ケースの挿入に加えて、収納ケース側の突起部とユニットベース側のフック片との係合によって収納ケースの取付をワンタッチ操作で容易にかつ確実に行うことができ、組立作業の簡易化をより一層図ることができる。
【発明を実施するための最良の形態】
【００１７】
以下、本発明を実施するための最良の形態である実施形態を図面に基づいて説明する。
【００１８】
図１は本発明の一実施形態に係るパチンコ遊技機Ａを示し、このパチンコ遊技機Ａは、島側に固定する外枠１に対し、遊技機本体２が左縁を回動軸側として開閉可能に取り付けられている。外枠１は、縦長矩形状に枠組みされてなり、パチンコ遊技機Ａの正面視では下枠部１ａのみが見えるようになっている。
【００１９】
上記遊技機本体２は、外枠１に開閉可能に取り付けられた内枠３と、この内枠３の前側に左縁を回動軸側として開閉可能に装着された前枠４とを備えている。内枠３は、図２ないし図４に詳示するように、遊技盤５と、この遊技盤５の表面側に配置した表機構枠６と、遊技盤５の裏面側に配置した裏機構枠７とを有しており、遊技盤５の周縁部は、表機構枠６と裏機構枠７とによって挟持されている。前枠４は、内枠３の遊技盤５を透視可能にする矩形状の透視窓８を有し、この透視窓８より下側の前枠５の下部には上受け皿９、下受け皿１０及び発射ハンドル１１などが設けられている。
【００２０】
上記遊技盤５には、発射ハンドル１１の回転操作により、表機構枠６に取り付けた球発射装置（図示せず）から発射される遊技球をガイドするガイドレール１２が設けられているとともに、このガイドレール１２の内側である遊技領域１３には、中心線上に沿って上側から第１の遊技演出装置１４、第２の遊技演出装置１５及びアウト口１６が設けられている。第１の遊技演出装置１４は、液晶表示装置からなり、画面上にキャラクターなどを表示して遊技演出を行うようなっている。
【００２１】
上記第２の遊技演出装置１５は、図５に詳示するように、外周面に各々複数種類の図柄（図１に「７」のみ表示）を描いた３つの回転ドラム２１，２２，２３がそれぞれステッピングモータ２４，２５，２６により回転駆動されるように構成されてなるドラムユニット２７と、このドラムユニット２７を回転ドラム２１〜２３の前半分近くが露出した状態で収納しかつ前縁部の外周面にリング状のガイド面２８ａが形成されたハウジング２８と、このハウジング２８のガイド面２８ａにそれぞれ接触しハウジング２８を遊技盤５と略直交する軸回りに回転可能に支持する４つの支持ローラ２９，２９，…と、上記ハウジング２８を軸回りに回転させるアクチュエータとしての駆動モータ３０（図３及び図４参照）と、この駆動モータ３０及び上記各支持ローラ２９を支持する支持枠（図示せず）とを備えている。駆動モータ３０の回転力は、伝達ギヤ機構３２を介して、ハウジング２８の軸心に設けた回転羽根ギヤ３３に伝達するようになっており、この回転羽根ギヤ３３の回転位置検出は、図示していないが、ギヤ側に設けた遮光片と、この遮光片の通過でオン信号を出力するイニシャル検知センサとにより行われる。また、ハウジング２８の後端面の軸心上には、図示していないが、スリップリングが設けられ、このスリップリングを通してドラムユニット２７が後述する役物中継基板ひいてはサブ制御基板と信号授受可能に接続されている。そして、第２の遊技演出装置１５においては、サブ制御基板の駆動コマンドに基づいて、ドラムユニット２７の３つの回転ドラム２１〜２３がそれぞれ所定の回転動作をして、所定の図柄の組み合わせが正面視で並ぶように停止し、また回転ドラム２１〜２３の回転中又は停止中にドラムユニット２７がハウジング２８と一体に遊技盤５と略直交する軸回りに所定角度回転して遊技演出を行うようになっている。
【００２２】
上記遊技盤５の遊技領域１３に第１及び第２の遊技演出装置１４，１５を設けるに当たり、遊技盤５には、遊技領域１３の略３／４の大きさを有する開口部３５が設けられ、この開口部３５には、開口部３５を塞ぐ大きさを有する飾りパネル３６の縁フランジ部３６ａが嵌合して取り付けられている。この飾りパネル３６の上部には第１の遊技演出装置１４のための横長矩形状の上部開口部３７が設けられているとともに、飾りパネル３６の中央部から下部に掛けて第２の遊技演出装置１５のための円形状の央部開口部３８が設けられており、この上部開口部３７及び央部開口部３８の合計の面積は、飾りパネル３６の表面積の略半分を占めている。遊技盤５の表面側では、上記ガイドレール１２は、飾りパネル３６の外側を囲繞するように設けられており、このガイドレール１２内側の遊技領域１３のうち、飾りパネル３６と反対側の左側部分（つまり遊技盤５の部分）に、図示していないが、障害釘や入賞口などが設けられている。
【００２３】
また、上記遊技盤５の裏面には、その開口部３５に対応して、開口部３５よりも一回り大きい合成樹脂製のユニットベース４０がねじ止めにより固定されている。このユニットベース４０には、図６及び図７にも示すように、上部に横長矩形状の上部開口部４１が、中央部から下部に掛けて円形状の央部開口部４２がそれぞれ設けられているとともに、この両開口部４１，４２の、後方から見て左側の側方近傍に沿って上下方向に延びる挿入溝４３が形成されている。
【００２４】
上記ユニットベース４０の上部開口部４１の周縁部には上記第１の遊技演出装置１４がその画面を上部開口部４１を通して前方に向けた状態でねじ止めにより固定されており、第１の遊技演出装置１４は、その画面が遊技盤５の開口部３５及び飾りパネル３６の上部開口部３７を通して飾りパネル３６の表面側に臨むようにユニットベース４０を介在して遊技盤５の裏面に取り付けられている。この第１の遊技演出装置１４の裏面には、役物中継基板（図示せず）を収納する中継基板用収納ケース４４及び音声基板（図示せず）を収納する音声基板用収納ケース４５が互いに横並び状態でそれぞれ重ね合わせてねじ止めにより固定されている。
【００２５】
上記ユニットベース４０の央部開口部４２の周縁部には第２の遊技演出装置１５の支持枠がそのハウジング２８の前側にドラム飾りカバー４６を組み付けた状態でねじ止めにより固定されており、第２の遊技演出装置１５は、そのドラムユニット２７の３つの回転ドラム２１〜２３がドラム飾りカバー４６に設けたドラム窓４７から遊技盤５の開口部３５及び飾りパネル３６の央部開口部３８を通して飾りパネル３６の表面側に臨むようにユニットベース４０を介在して遊技盤５の裏面に取り付けられている。この第２の遊技演出装置１５の構成部品のうち、支持ローラ２９及び駆動モータ３０は、支持枠を介してユニットベース４０に固定状態に取り付けられている一方、ドラムユニット２７及びハウジング２８は、ドラム飾りカバー４６と一体に遊技盤５と略直交する軸回りに回転するように設けられている。
【００２６】
さらに、上記ユニットベース４０の挿入溝４３には、サブ制御基板（図示せず）を収納するサブ制御基板用収納ケース５１がその１つの長辺を挿入して縦置きに立てた状態に取り付けられている。この収納ケース５１には、収納ケース５１が縦置きに立てた状態に配置されたとき遊技演出装置１４，１５の取付箇所であるユニットベース４０の上部開口部４１及び央部開口部４２と反対側の側面から側方に突出する突起部５２が形成されているとともに、上記ユニットベース４０の挿入溝４３の側方近傍には、収納ケース５１が縦置きに立てた状態に配置されたとき上記突起部５２と係合するフック片５３が突出して形成されている。
【００２７】
一方、上記裏機構枠７は、図３及び図４に示すように、全体として中央開口部５５を囲む縦長枠状に形成されたもので、その中央開口部５５の周縁部で上記ユニットベース４０の周囲を囲繞するようになっており、ユニットベース４０側の第２の遊技演出装置１５、中継基板用収納ケース４４、音声基板用収納ケース４５及びサブ制御基板用収納ケース５１は、裏機構枠７の中央開口部５５から一部が裏側にまで突出するようになっている。この裏機構枠７には、図示していないが、中央開口部５５の上縁側つまり上枠部７ａに球タンクが、左側枠部７ｂに球切り装置がそれぞれ取り付けられるようになっており、また、裏機構枠７の下枠部７ｃには、パチンコ遊技を司る主制御基板（図示せず）を収納する主制御基板用収納ケース５７が取り付けられている。
【００２８】
尚、図示していないが、収納ケース５７内の主制御基板は、配線ケーブルによりユニットベース４０側の収納ケース５１内のサブ制御基板と信号授受可能に接続されている。また、主制御基板は、パチンコ遊技機Ａにおける遊技の基本となる動作を制御するためのものであり、遊技の中枢となり抽選手段として作動するメインＣＰＵ、大当たり抽選を行うための乱数発生部、プログラムソフトが記憶されたＲＯＭ、及び制御時に必要なデータが書き込まれるＲＡＭを含むマイクロコンピュータで構成されてなる。遊技盤５の遊技領域１３に設けた始動口（図示せず）に発射打球が入賞することにより、大当たり乱数の取得抽選が実行され、主制御基板から抽選結果に応じて制御指令やデータなどがサブ制御基板に一方向に出力される。サブ制御基板は、図示していないが、主制御基板と同様に、サブＣＰＵ、ＲＯＭ及びＲＡＭを含むマイクロコンピュータで構成されており、主制御基板（詳しくはメインＣＰＵ）からの制御指令を受けて、ドライバ回路（図示せず）を介して、第１の遊技演出装置１４の液晶に対し図柄変動表示及び大当たり遊技演出表示などの表示コマンドを、第２の遊技演出装置１５に対し駆動コマンドをそれぞれ出力して、制御を行うものである。
【００２９】
従って、上記パチンコ遊技機Ａにおいては、遊技盤５に大型の２つの遊技演出装置１４，１５を設けるに当たり、遊技盤５の裏面に固定したユニットベース４０が遊技盤５と各遊技演出装置１４，１５との間に介在され、このユニットベース４０によって遊技盤５が補強されているため、遊技演出装置１４，１５などの自重によって遊技盤５に撓みが生じたり、遊技盤５が傾いたりすることはない。殊に、本実施形態の場合、第２の遊技演出装置１５は、そのドラムユニット２７の３つの回転ドラム２１〜２３がそれぞれステッピングモータ２４〜２６により回転するだけでなく、ドラムユニット２７を収納するハウジング２８が、ユニットベース４０にそれぞれ取り付けた４つの支持ローラ２９，２９，…に支持された状態で駆動モータ３０により遊技盤５と略直交する軸回りに回転することから、遊技者に意外性を与えて演出効果を高めることができるという利点を有する反面、装置全体がかなり大型で重量物になる欠点を有しているが、この欠点を克服した状態で第２の遊技演出装置１５を遊技盤５の裏面に取り付けることができるので、その実施化を図る上で有効なものである。
【００３０】
また、パチンコ遊技機Ａの組立作業時には、遊技盤５及びその裏面側のユニットベース４０を中心に、２つの遊技演出装置１４，１５、中継基板用収納ケース４４、音声基板用収納ケース４５及びサブ制御基板用収納ケース５１を取り付けてユニット化した上で、それらを表機構枠６と裏機構枠７との間に組み付けることによって内枠３を構成することができるので、作業の簡易化及び効率化を図ることができる。しかも、裏機構枠７は、ユニットベース４０の周囲を囲繞するだけで足り、その形状を大幅に変更したり、球切り装置や主制御基板用収納ケース５７などの設置位置を変更したりする必要はないので、実施化を容易に図ることができる。
【００３１】
特に、本実施形態の場合、上記ユニットベース４０の挿入溝４３にサブ制御基板用収納ケース５１の１つの長辺を挿入して収納ケース５１が縦置きに立てた状態に取り付けられているため、ユニットベース４０における当該収納ケース５１の取付スペースを小さくすることができ、その分他の部品の取付スペースの確保あるいはユニットベース４０の小型化を図ることができる。その上、ユニットベース４０の挿入溝４３に収納ケース５１が挿入して縦置きに立てた状態に配置されたときには、収納ケース５１側の突起部５２とユニットベース４０側のフック片５３とが係合するため、収納ケース５１の取付を確実にかつワンタッチ操作でもって容易に行うことができ、組立作業の簡易化及び効率化を一層図ることができる。
【００３２】
尚、本発明は上記実施形態に限定されるものでなく、その他種々の形態を包含するものである。例えば上記実施形態では、遊技盤２に設けた第２の遊技演出装置１５のドラムユニット２７においては、３つの回転ドラム２１〜２３の回転及び停止を、単にサブ制御基板の制御により行うように構成したが、遊技機の遊技性を高めるために、前枠４などに設けた停止ボタンの操作により、大当たり当選時などにおいて、例えばドラムユニット２７は静止して、回転ドラム２１〜２３を回転駆動し、あるいは更にドラムユニット２７自体も回転させて、スロットマシンの如く、ドラム図柄を目押し停止させる遊技演出機能を付加しても良い。
【００３３】
また、上記実施形態では、遊技盤２に２つの遊技演出装置１４，１５を設けた場合について述べたが、本発明は、遊技盤２に１つ又は３つ以上の遊技演出装置を設けた場合にも同様に適用することができる。また、遊技演出装置１４，１５としては、上記実施形態の如き液晶表示装置や回転ドラム式のものに限らず、その他の表示装置、センター役物などを遊技盤に設ける場合にも適用することができ、特に大型の遊技演出装置を遊技盤に設ける場合に有効である。
【００３４】
さらに、上記実施形態では、外枠１に対し開閉可能に取り付けられた遊技機本体２を、遊技盤５を表機構枠６と裏機構枠７とで挟持してなる内枠３と、この内枠３の前側に開閉可能に装着された前枠４とによって構成したが、本発明は、この場合に限らず、例えば内枠３が遊技盤５と裏機構枠７とで構成された場合、前枠４が、透視窓８の部分と上受け皿９の部分と下受け皿１０の部分とに分割され、かつその３つの部分が各々独立して内枠３に開閉可能に装着された場合などにも同様に適用することができるのは勿論である。
【図面の簡単な説明】
【００３５】
【図１】本発明の実施形態に係るパチンコ遊技機の正面図である。
【図２】上記パチンコ遊技機の内枠の正面図である。
【図３】上記内枠のうち、遊技盤及び裏機構枠を裏面側から見た斜視図である。
【図４】同分解斜視図である。
【図５】第２の遊技演出装置の概略構成図である。
【図６】ユニットベース及びこれに取り付けた第１の遊技演出装置などを裏面側から見た斜視図である。
【図７】同分解斜視図である。
【符号の説明】
【００３６】
Ａ    パチンコ遊技機
１    外枠
２    遊技機本体
５    遊技盤
７    裏機構枠
１４    第１の遊技演出装置
１５    第２の遊技演出装置
２１，２２，２３    回転ドラム
２４，２５，２６    ステッピングモータ
２７    ドラムユニット
２８    ハウジング
２８ａ  ガイド面
２９    支持ローラ
３０    駆動モータ（アクチュエータ）
３５    開口部
３６    飾りパネル
３７    上部開口部
３８    央部開口部
４０    ユニットベース
４３    挿入溝
５１    サブ制御基板用収納ケース
５２    突起部
５３    フック片
【図１】
2009034150.tif 000003
【図２】
2009034150.tif 000004
【図３】
2009034150.tif 000005
【図４】
2009034150.tif 000006
【図５】
2009034150.tif 000007
【図６】
2009034150.tif 000008
【図７】
2009034150.tif 000009